(57)【要約】【課題】特定のカテゴリに着目してウェブログの更新情報の一覧を表示、登録、更新および削除する場合は、ウェブログ運営会社毎に用意されているポータルサイトから操作するのが現状で、複数のウェブログ運営会社を横断的に閲覧および管理する方法の提供がなされていないのが現状である。【解決手段】従来の課題を解決するために、異なるブログ運営会社に、それぞれ用意されているウェブログを横断的に集約し、ポータルサイトとして再配置する。予め特定のカテゴリに分類されたウェブログに対してそのカテゴリに有効な情報を登録、更新および削除を行うことを可能とするシステムを用意して、提供することを手段とする。【選択図】図２
2008129930.tif 000002
【特許請求の範囲】
【請求項１】
異なるブログ運営会社にそれぞれ用意されているウェブログを特定のカテゴリに分類し、情報を収集・編集して横断的に集約したポータルサイトとして再配置し、予め特定のカテゴリに分類された一覧で表示、予め特定のカテゴリに分類された区分毎にコンテンツの登録、更新および削除を行うシステム。
【請求項２】
前記に記載のシステムは、予め特定のカテゴリに分類されたポータルサイトを用意し、そのカテゴリに適合するウェブログで公開されているウェブログコンテンツの更新日時、タイトル、要約が記述された更新情報およびウェブログのＵＲＬを横断的に収集する。
【請求項３】
前記に記載の情報を編集し、その編集結果を一覧として配置してHTML文章として配信し、編集結果の一覧を選択するとウェブログコンテンツを表示する。
【請求項４】
前記に記載のシステムは、予め特定のカテゴリに分類されたポータルサイトに対してそのカテゴリに有効な情報を登録、更新および削除を行う。
【請求項５】
前記に記載のポータルサイトは、カテゴリが新たに追加される毎に追加される。
【請求項６】
特定のカテゴリに分類された複数のポータルサイトを集約した、請求項１から請求項５に記載のシステム。
【発明の詳細な説明】
【技術分野】
【０００１】
本発明は、インターネットおよびイントラネット上に存在するウェブログ（Ｗｅｂ  Ｌｏｇ）から横断的に情報を収集し、収集した情報を集約して提供する情報提供方法および装置である。
【０００２】
インターネットおよびイントラネット上に存在するウェブログ（Ｗｅｂ  Ｌｏｇ）に対して横断的に情報を管理（登録、削除、更新）する方法および装置である。
【背景技術】
【０００３】
ウェブログの更新情報の一覧は、ウェブログ運営会社毎に個別に提供されている。特定のカテゴリに着目してウェブログの更新情報の一覧を表示する場合は、ウェブログ運営会社毎に用意されているポータルサイトから閲覧するのが現状である。
【０００４】
【特許文献１】特開２００６−２５３３４３
【発明の開示】
【発明が解決しようとする課題】
【０００５】
特許文献１では、異なるブログ運営会社にそれぞれ用意されているウェブログを横断的に集約し、ポータルサイトとして再配置するシステムであったが、配置後に予め特定のカテゴリに分類された、異なるブログ運営会社にそれぞれ用意されているウェブログに対して横断的にそのカテゴリに有効な情報を登録、更新および削除を行うことを可能とすることを課題とした。
【課題を解決するための手段】
【０００６】
従来の課題を解決するために異なるブログ運営会社にそれぞれ用意されているウェブログを横断的に集約し、ポータルサイトとして再配置するシステムを用意する。
【０００７】
予め特定のカテゴリに分類されたポータルサイトを用意し、そのカテゴリに適合するウェブログを登録する。
【０００８】
登録されたウェブログから公開されている更新情報およびウェブログのＵＲＬを収集し、ポータルサイトに一覧として配置することで複数のウェブログ運営会社を横断的に閲覧することができる。
【０００９】
予め特定のカテゴリに分類されたウェブログに対してそのカテゴリに有効な情報を登録、更新および削除を行うことを可能とした。
【発明の効果】
【００１０】
本発明によれば、複数の異なるウェブログ運営会社のウェブログを横断的に表示、閲覧することが可能となる効果が得られる。情報を集約することで、閲覧までの操作の手間が省力化されるため、利用者の情報収集量および目的の情報を採取するまでの時間が短縮され、利用者にとっての利便性が向上する。これによりウェブログ提供側の集客効率の増大が可能となる効果が得られる。また、このシステムを利用する事で、最小限のコストで情報提供の機会を増やすことができ、商用目的でウェブログを提供している資金力の乏しい個人や小規模な企業に、ビジネスを拡大する機会を与えることができる。
【００１１】
本発明によれば、予め特定のカテゴリに分類されたウェブログに対してそのカテゴリに有効な情報を各ウェブログ提供側が個別に操作することなく、総括的に提供することが可能となる。このシステムを利用する事で、特定のグループ（例えば企業、業種、業態、組合、趣味）内で情報の共有化のための手間が省略化されるため、同タイミングでの情報提供による効果（宣伝など）が増大する。特定のグループに対する有効な情報や広告を効率よく配信可能となる。
【発明を実施するための最良の形態】
【００１２】
本発明の実施形態を図１から図３に基づいて説明する。この実施例に記載するウェブログ名称やウェブログ運営会社名、ポータルサイトなどは、本発明の範囲に限定する趣旨ではなく、本実施形態説明のための例に過ぎない。
【００１３】
図１は、インターネットおよびイントラネット上の複数のウェブログ運営会社からポータルサイトへの集約の例である。１は、異なるウェブログ運営会社でそれぞれ用意されているウェブログコンテンツを特定のカテゴリに分類して登録したポータルサイトである。
【００１４】
１は、複数のウェブログ運営会社毎に登録されている情報を横断的に閲覧することが可能なポータルサイトで、ポータルサイト１は予め特定のカテゴリに分類されている。
【００１５】
２は、各ウェブログ運営会社で用意されているブログサーバである。
【００１６】
３は、異なるウェブログ運営会社でそれぞれ用意されているウェブログコンテンツを特定のカテゴリに分類して同一のポータルサイト１に登録されたものである。
【００１７】
４は、複数のウェブロ運営会社のブログサーバ２上の既存の個別かつ特定のウェブログコンテンツおよびウェブログコンテンツの更新情報の一覧である。
【００１８】
従来の方法でウェブログの更新情報の一覧を表示、閲覧する場合は、ウェブログ運営会社毎に用意されているブログサーバ２のサイト上に表示し、閲覧する。ウェブログ運営会社のサイト上には、各ウェブログ運営会社で用意されたウェブログコンテンツのみ登録されているため、ブログサーバＡの運営会社から異なるブログサーバＢ、ブログサーバCの運営会社上に用意されているウェブログコンテンツおよびウェブログコンテンツの更新情報を表示、閲覧することはできない。
【００１９】
５は、ポータルサイト１内に登録されたウェブログコンテンツ３の更新情報およびＵＲＬを複数のブログサーバ２に登録された既存のウェブログ４よりそれぞれ収集し、一覧の表示形式に情報を編集するプログラムである。収集対象となるウェブログコンテンツの更新情報は、ＲＳＳ（Ｒｉｃｈ  Ｓｉｔｅ  Ｓｕｍｍａｒｙ，ＲＤＦ  Ｓｉｔｅ  Ｓｕｍｍａｒｙ）で記述された文書である。編集結果として出力された一覧の表示形式の内容は、ＨＴＭＬ文書として配信する。
【００２０】
ポータルサイト１は５のプログラムにより、カテゴリを新たに追加し、表示、閲覧させることが可能である。
【００２１】
図２は、図１のポータルサイト１およびブログサーバ２にウェブログコンテンツの送受信を行う機能を付加することでインターネットおよびイントラネット上の複数ウェブログ運営会社へ横断的にウェブコンテンツを登録、更新、削除する例である。
【００２２】
従来の方法でウェブログコンテンツを登録、更新および削除する場合は、各ウェブログ運営会社のウェブログサーバ２に用意されているそれぞれの専用画面から操作する。
【００２３】
ポータルサイト１およびブログサーバ２にウェブログコンテンツの送受信を行うプログラム７およびプログラム８を用意する。
【００２４】
６は、特定のカテゴリに分類されたポータルサイト１に対して有効な情報が記述された文書である。
【００２５】
７は、ブログサーバ２に対してウェブコンテンツ６を登録、更新および削除操作を依頼するプログラムである。８は、ポータルサイト１から依頼された登録、更新および削除操作をブログサーバ２内のウェブログコンテンツ４に対して行うプログラムである。プログラム７およびプログラム８間のウェブコンテンツの送受信にはＡｔｏｍＰＰ（Ａｔｏｍ  Ｐｕｂｌｉｓｈｉｎｇ  Ｐｒｏｔｏｃｏｌ）を適用する。
【００２６】
本発明の方法によれば、特定のカテゴリに分類された複数のポータルサイトに対して横断的にウェブコンテンツを登録、更新、削除することが可能である。
【００２７】
図３は、図１および図２の具体例としてフランチャイズ展開している業態を示して説明するものである。
【００２８】
１は、フランチャイザーが運営するポータルサイトである。
【００２９】
２は、異なるウェブログ運営会社が運営するブログサーバである。
【００３０】
４は、ブログサーバ２に登録されているフランチャイジーのウェブログである。
【００３１】
９は、フランチャイザーがフランチャイジーに対して提供する情報（例えば、キャンペーン告知、広告、新商品情報）である。
【００３２】
従来の方法でフランチャイザーがフランチャイジーのウェブログに情報を提供する場合、各フランチャイジーが個々にウェブログにその情報を各ウェブログ運営会社のウェブログサーバ２に用意されている専用画面を使用して登録および更新する必要があった。
【００３３】
図２の方法を適用することによりフランチャイザーがポータルサイト１から異なるウェブログ運営会社上のサーバーにある各フランチャイジーのウェブログ４に横断的に一括して登録および更新することが可能となる。
【００３４】
本発明によれば、予め特定のカテゴリに分類された異なるウェブログ運営会社上のサーバーにあるウェブログに対して、有効な情報を横断的に一括して効率よく配信可能となる。
【００３５】
本発明の方法によれば、特定のカテゴリに分類された複数のポータルサイトを更に集約、管理することが可能である。
【産業上の利用可能性】
【００３６】
本発明は、複数の異なるウェブログ運営会社を横断的に閲覧することが可能となるため利用者の情報収集量および目的の情報を採取するまでの時間が短縮され、利用者にとっての利便性が向上することによりウェブログ提供側の集客効率の増大が見込まれる。これを利用することにより例えば、簡易に集客効率の高い商用ポータルサイトの構築を可能とする、既存ウェブログの価値向上を図る機会の提供を可能とする、などの産業上の利用可能性を拡大することができる。また、このシステムを利用することで、最小限のコストで情報提供の機会を増やすことができ、商用目的でウェブログを提供している資金力の乏しい個人や小規模な企業に、ビジネスを拡大する機会を与えることができる。
【００３７】
本発明は、ポータルサイト運営者が予め特定のカテゴリに分類されたウェブログに対して有効な情報を確実に効率よく配信できるため、これを利用することにより例えば、簡易に集客効率の高い商用ポータルサイトの構築を可能とする、既存ウェブログの価値向上を図る機会の提供を可能とする、などの産業上の利用可能性を拡大することができる。
【図面の簡単な説明】
【００３８】
【図１】本実施形態を示すインターネットおよびイントラネット上の複数ウェブログ運営会社からポータルサイトへの横断的な集約の例である。
【図２】本実施形態を示すインターネットおよびイントラネット上の複数ウェブログ運営会社へ横断的にウェブコンテンツを登録、更新、削除する例である。
【図３】図１および図２の具体例としてフランチャイズ展開している業態を示すものである。
【符号の説明】
【００３９】
１、    異なるウェブログ運営会社でそれぞれ用意されていたウェブログコンテンツを特定のカテゴリに分類して登録、横断的に集約したポータルサイト
２、    各ウェブログ運営会社で用意されているブログサーバである
３、    異なるウェブログ運営会社でそれぞれ用意されていたウェブログコンテンツを特定のカテゴリに分類して同一のポータルサイトに登録されたもの
４、    既存のウェブログコンテンツおよびウェブログコンテンツの更新情報の一覧
５、    ポータルサイトに登録されたウェブログコンテンツの更新情報およびＵＲＬを収集し、一覧の表示形式に情報を編集するプログラム
６、    特定のカテゴリに分類されたポータルサイトに対して有効な情報が記述された文書
７、    ブログサーバに対してウェブコンテンツを登録、更新および削除操作を依頼するプログラム
８、    ポータルサイトから依頼された登録、更新および削除操作をブログサーバ内のウェブログコンテンツに対して行うプログラム
９、    フランチャイザーがフランチャイジーに対して提供する情報
【図１】
2008129930.tif 000003
【図２】
2008129930.tif 000004
【図３】
2008129930.tif 000005